(57)【要約】【解決手段】剃刀頭部３の表面側に可溶性潤滑体１０を設けている。可溶性潤滑体１０の露出表面は、刃体の刃先の延設方向に沿う左右方向Ｙの両端部と、刃体の幅方向に沿う前後方向Ｘの両側で左右両端部間を結ぶ前後両端縁とで囲まれ、左右両端部間で左右方向Ｙへ互いに連続して並ぶ前後両端縁間の各帯面からなる。各帯面は、高さ基準面Ｑに対する上下方向高さＨが最大になる頂上部２８を有する最大高さ帯面（中央帯面）と、前後両端縁間の前後方向幅寸法が最大になる最大幅帯面（中央帯面）とを含み、最大幅帯面と最大高さ帯面とは互いに一致している。可溶性潤滑体１０の露出表面が膚面Ｓ等に当てがわれた際、最大高さ帯面が膚面Ｓ等に接触するとともに、最大高さ帯面に対する左右方向Ｙの両側で膚面Ｓ等との間に隙間Ｇが生じる。【効果】可溶性潤滑体１０による潤滑機能を高めて剃り味を向上させる。【選択図】図１
2005103036.tif 000002
【特許請求の範囲】
【請求項１】
刃体を取り付けた剃刀頭部の表面側には刃体の厚み方向に沿う上下方向の両側のうち刃体に対する上方側で可溶性潤滑体を設けた剃刀において、
この可溶性潤滑体の露出表面は、刃体の刃先の延設方向に沿う左右方向の両端部と、この左右方向及び前記上下方向に直交する刃体の幅方向に沿う前後方向の両側でこの左右両端部間を結ぶ前後両端縁とで囲まれ、この左右両端部間で左右方向へ互いに連続して並ぶこの前後両端縁間の各帯面からなり、
前記各帯面は、高さ基準面に対する上下方向高さが最大になる頂上部を有する最大高さ帯面を含む
ことを特徴とする剃刀。
【請求項２】
前記各帯面は、前記前後方向の両側のうち前側から後側へ向うほど高さ基準面に対する上下方向高さが大きくなるように、高さ基準面に対し傾斜していることを特徴とする請求項１に記載の剃刀。
【請求項３】
前記各帯面は、前後両端縁間の前後方向幅寸法が最大になる最大幅帯面を含み、この最大幅帯面と前記最大高さ帯面とは互いに一致していることを特徴とする請求項１または請求項２に記載の剃刀。
【請求項４】
前記最大幅帯面及び最大高さ帯面は可溶性潤滑体の露出表面で左右両端部間の中間に位置し、この最大幅帯面及び最大高さ帯面から左右両端部に向うほど各帯面の前後方向幅寸法及び上下方向高さが小さくなることを特徴とする請求項３に記載の剃刀。
【請求項５】
前記可溶性潤滑体の露出表面で、前端縁は、左右両端部を結ぶ想定線に対する距離が前記最大幅帯面及び最大高さ帯面から左右両端部に向うほど小さくなるように、前後方向の両側のうちこの想定線よりも前方側へ膨らむとともに、後端縁は、左右両端部を結ぶ想定線に対する距離が前記最大幅帯面及び最大高さ帯面から左右両端部に向うほど小さくなるように、前後方向の両側のうちこの想定線よりも後方側へ膨らむことを特徴とする請求項４に記載の剃刀。
【請求項６】
前記可溶性潤滑体の露出表面は、上下方向の両側のうち上方側へ膨らむ曲面であることを特徴とする請求項１から請求項５のうちいずれかの請求項に記載の剃刀。
【請求項７】
前記可溶性潤滑体の露出表面は、その左右両端部及び前後両端縁において、前記剃刀頭部の表面に対し段差のない連続面でつながれていることを特徴とする請求項１から請求項６のうちいずれかの請求項に記載の剃刀。
【請求項８】
前記可溶性潤滑体はその裏面で前記剃刀頭部の表面側の載置面に載せられ、互いに重なり合う凸部と凹部とのうち、一方がこの可溶性潤滑体の裏面にあり、他方がこの剃刀頭部の載置面にあることを特徴とする請求項１から請求項７のうちいずれかの請求項に記載の剃刀。
【請求項９】
成形型内に合成樹脂製の剃刀頭部を支持してその剃刀頭部の表面側が露出する成形型内のキャビティにおいて、この剃刀頭部の表面側に形成した注入室が成形型の注入口に面した状態で、このキャビティに可溶性潤滑体を成形型の注入口からこの注入室に向けて供給することを特徴とする剃刀における可溶性潤滑体の成形方法。
【請求項１０】
刃体を取り付けた剃刀頭部の表面側に可溶性潤滑体を設けた剃刀において、この可溶性潤滑体は剃刀頭部に対し一体成形され、この可溶性潤滑体は、その裏面でこの剃刀頭部の表面側の載置面に載せられるとともに、注入口残存樹脂折損部に隣接して、この剃刀頭部の載置面に形成した注入室に充填された凸部を有していることを特徴とする剃刀。
【発明の詳細な説明】
【技術分野】
【０００１】
本発明は、刃体を取り付けた剃刀頭部の表面側に可溶性潤滑体を設けた剃刀、並びに、剃刀における可溶性潤滑体の成形方法に関するものである。
【背景技術】
【０００２】
下記特許文献１に記載の安全かみそりでは、刃体４，５を取り付けた剃刀頭部の天板１の表面側に可溶性潤滑体としての潤滑条片２が設けられている。
【特許文献１】実公平７−４８２２４号公報
【発明の開示】
【発明が解決しようとする課題】
【０００３】
しかし、上記特許文献１では、潤滑条片２の表面が刃体４，５の刃先側から見て平坦に形成されているので、安全かみそりの使用時に潤滑条片２の表面を膚面等に当てがった際、その表面のほぼ全体が膚面等に対し隙間なく接触する。そのため、膚面等と潤滑条片２の表面との間に水分が入りにくくなって潤滑条片２が溶けにくくなるとともに、溶けた潤滑条片２がその表面に溜まりにくくなる。従って、安全かみそりの使用時に剃刀頭部を移動させて膚面等を剃る際、潤滑条片２が充分に機能せず剃り味に悪影響を及ぼすおそれがあった。
【０００４】
また、上記特許文献１では、成形型に潤滑条片２をインサートしてその潤滑条片２が面するキャビティに天板用樹脂を注入して天板１を潤滑条片２と一体成形することも開示されているが、天板用樹脂を注入した際、天板用樹脂の圧力や熱により潤滑条片２の表面が損傷するおそれがあった。
【０００５】
この発明は、前記潤滑条片２に該当する可溶性潤滑体による潤滑機能を高めて剃り味を向上させることを目的としている。また、この発明は、前記潤滑条片２に該当する可溶性潤滑体を剃刀頭部の表面側に一体成形する際、剃刀頭部の表面側の損傷を防止することを目的としている。
【課題を解決するための手段】
【０００６】
後記実施形態の図面（図１〜４）の符号を援用して本発明を説明する。
＊  請求項１の発明
請求項１の発明にかかる剃刀は下記のように構成されている。
【０００７】
この剃刀において、刃体（６）を取り付けた剃刀頭部（３）の表面側には刃体（６）の厚み方向に沿う上下方向（Ｚ）の両側のうち刃体（６）に対する上方側で可溶性潤滑体（１０）を設けている。この可溶性潤滑体（１０）の露出表面（２０）は、刃体（６）の刃先（６ａ）の延設方向に沿う左右方向（Ｙ）の両端部（２１）と、この左右方向（Ｙ）及び前記上下方向（Ｚ）に直交する刃体（６）の幅方向に沿う前後方向（Ｘ）の両側でこの左右両端部（２１）間を結ぶ前後両端縁（２２，２３）とで囲まれ、この左右両端部（２１）間で左右方向（Ｙ）へ互いに連続して並ぶこの前後両端縁間（２１）の各帯面（２４，２５，２６，２７）からなる。この各帯面（２４，２５，２６，２７）は、高さ基準面（例えば刃体６の厚み方向Ｚに対し直交する想定面Ｑ）に対する上下方向高さ（Ｈ）が最大になる頂上部（２８）を有する最大高さ帯面（２４）を含む。この刃体（６）の刃先（６ａ）は前記前後方向（Ｘ）の両側のうち可溶性潤滑体（１０）の前方側で剃刀頭部（３）の前側から露出している。
【０００８】
請求項１の発明では、可溶性潤滑体（１０）の露出表面（２０）が膚面（Ｓ）等に当てがわれた際、最大高さ帯面（２４）が膚面（Ｓ）等に接触するとともに、上下方向高さ（Ｈ）がこの最大高さ帯面（２４）よりも小さい帯面（２５，２６，２７）の一部または全部では最大高さ帯面（２４）に対する左右方向（Ｙ）の両側または片側で膚面（Ｓ）等との間に隙間（Ｇ）が生じる。そのため、可溶性潤滑体（１０）の露出表面（２０）と膚面（Ｓ）等との間の隙間（Ｇ）に水分が入って可溶性潤滑体（１０）が溶け易くなるとともに、溶けた可溶性潤滑体（１０）がその隙間（Ｇ）に溜まり易くなる。従って、剃刀頭部（３）を移動させて膚面（Ｓ）等を剃る際、溶けて溜まった可溶性潤滑体（１０）が隙間（Ｇ）から広がり易くなり、潤滑性を高めて剃り味を向上させることができる。
【０００９】
＊  請求項２の発明
請求項１の発明を前提とする請求項２の発明において、前記各帯面（２４，２５，２６，２７）は、前記前後方向（Ｘ）の両側のうち前側から後側へ向うほど高さ基準面（Ｑ）に対する上下方向高さ（Ｈ）が大きくなるように、高さ基準面（Ｑ）に対し傾斜している。請求項２の発明では、この傾斜により、溶けて溜まった可溶性潤滑体（１０）が隙間（Ｇ）から広がり易くなり、潤滑性をより一層高めて剃り味を向上させることができる。
【００１０】
＊  請求項３の発明
請求項１または請求項２の発明を前提とする請求項３の発明において、前記各帯面（２４，２５，２６，２７）は、前後両端縁（２１）間の前後方向幅寸法（Ｗ）が最大になる最大幅帯面（２４）を含み、この最大幅帯面（２４）と前記最大高さ帯面（２４）とは互いに一致している。請求項３の発明では、可溶性潤滑体（１０）の露出表面（２０）において膚面（Ｓ）等に最も当てがわれ易い最大高さ帯面（２４）が最大幅帯面（２４）になっているため、可溶性潤滑体（１０）を効率良く使用することができる。
【００１１】
＊  請求項４〜５の発明
請求項３の発明を前提とする請求項４の発明において、前記最大幅帯面（２４）及び最大高さ帯面（２４）は可溶性潤滑体（１０）の露出表面（２０）で左右両端部（２１）間の中間に位置し、この最大幅帯面（２４）及び最大高さ帯面（２４）から左右両端部（２１）に向うほど各帯面（２４，２５，２６，２７）の前後方向幅寸法（Ｗ）及び上下方向高さ（Ｈ）が小さくなる。
【００１２】
請求項４の発明を前提とする請求項５の発明において、前記可溶性潤滑体（１０）の露出表面（２０）で、前端縁（２２）は、左右両端部（２１）を結ぶ想定線（Ｌ）に対する距離（Ｗ２２）が前記最大幅帯面（２４）及び最大高さ帯面（２４）から左右両端部（２１）に向うほど小さくなるように、前後方向（Ｘ）の両側のうちこの想定線（Ｌ）よりも前方側へ膨らむとともに、後端縁（２３）は、左右両端部（２１）を結ぶ想定線（Ｌ）に対する距離（Ｗ２３）が前記最大幅帯面（２４）及び最大高さ帯面（２４）から左右両端部（２１）に向うほど小さくなるように、前後方向（Ｘ）の両側のうちこの想定線（Ｌ）よりも後方側へ膨らむ。
【００１３】
請求項４〜５の発明では、可溶性潤滑体（１０）の露出表面（２０）で左右両端部（２１）間の中間位置に最大幅帯面（２４）及び最大高さ帯面（２４）を設定したので、その中間位置で可溶性潤滑体（１０）が使用時に最も減少し易くなる。また、剃刀頭部（３）を移動させて膚面（Ｓ）等を剃る際、溶けて溜まった可溶性潤滑体（１０）が隙間（Ｇ）から広がり易くなって剃り味を向上させることができるとともに、可溶性潤滑体（１０）をより一層効率良く使用することができる。
【００１４】
＊  請求項６の発明
請求項１から請求項５のうちいずれかの請求項の発明を前提とする請求項６の発明において、前記可溶性潤滑体（１０）の露出表面（２０）は、上下方向（Ｚ）の両側のうち上方側へ膨らむ曲面である。請求項６の発明では、剃刀頭部（３）を移動させて膚面（Ｓ）等を剃る際、剃刀頭部（３）の表面（９）に対する感触を良くして剃り味を向上させることができる。
【００１５】
＊  請求項７の発明
請求項１から請求項６のうちいずれかの請求項の発明を前提とする請求項７の発明において、前記可溶性潤滑体（１０）の露出表面（２０）は、その左右両端部（２１）及び前後両端縁（２２，２３）で、前記剃刀頭部（３）の表面（９）に対し段差のない連続面（２０ａ）でつながれている。請求項７の発明では、剃刀頭部（３）を移動させて膚面（Ｓ）等を剃る際、剃刀頭部（３）の表面（９）に対する感触を良くして剃り味を向上させることができる。
【００１６】
＊  請求項８の発明
請求項１から請求項７のうちいずれかの請求項の発明を前提とする請求項８の発明において、前記可溶性潤滑体（１０）はその裏面（１０ａ）で前記剃刀頭部（３）の表面（９）側の載置面（９ａ）に載せられ、互いに重なり合う凸部（１８，１７）と凹部（１９，１３）とのうち、一方がこの可溶性潤滑体（１０）の裏面（１０ａ）にあり、他方がこの剃刀頭部（３）の載置面（９ａ）にある。請求項８の発明では、この凸部（１８，１７）と凹部（１９，１３）とにより剃刀頭部（３）に対し可溶性潤滑体（１０）を確実に取着することができる。
【００１７】
＊  請求項９〜１０の発明
請求項９の発明に係る剃刀において可溶性潤滑体（１０）は下記のように成形される。
成形型（１１）内に合成樹脂製の剃刀頭部（３）を支持してその剃刀頭部（３）の表面（９）側が露出する成形型（１１）内のキャビティ（１２）において、この剃刀頭部（３）の表面（９）側に形成した注入室（１３）が成形型（１１）の注入口（１４）に面した状態で、このキャビティ（１２）に可溶性潤滑体（１０）を成形型（１１）の注入口（１４）からこの注入室（１３）に向けて供給する。
【００１８】
請求項１０の発明にかかる剃刀において、刃体（６）を取り付けた剃刀頭部（３）の表面（９）に設けた可溶性潤滑体（１０）は、剃刀頭部（３）に対し一体成形され、その裏面（１０ａ）でこの剃刀頭部（３）の表面（９）側の載置面（９ａ）に載せられるとともに、注入口残存樹脂折損部（１６）に隣接して、この剃刀頭部（３）の載置面（９ａ）に形成した注入室（１３）に充填された凸部（１７）を有している。
【００１９】
請求項９〜１０の発明では、可溶性潤滑体（１０）が剃刀頭部（３）に対し一体成形されて強固に取着される。また、注入口（１４）から供給された可溶性潤滑体（１０）が注入室（１３）に凸部（１７）として充填される際に注入室（１３）で緩衝されるため、可溶性潤滑体（１０）の圧力や熱による剃刀頭部（３）の表面（９）側の損傷を防止することができる。このように剃刀頭部（３）を損傷することなく可溶性潤滑体（１０）を成形することができるばかりではなく、成形時に剃刀頭部（３）の表面（９）側の損傷を防止するために可溶性潤滑体（１０）がキャビティ（１２）で均一に流動し、可溶性潤滑体（１０）を均一化してその潤滑機能のばらつきを小さくすることもできる。
【発明の効果】
【００２０】
本発明は、可溶性潤滑体（１０）による潤滑機能を高めて剃り味を向上させることができる。また、本発明は、可溶性潤滑体（１０）を剃刀頭部（３）の表面（９）側に一体成形する際、剃刀頭部（３）の表面（９）側の損傷を防止することができる。
【発明を実施するための最良の形態】
【００２１】
以下、本発明の一実施形態にかかるＴ型剃刀について図面を参照して説明する。
このＴ型剃刀は、図１（ａ）（ｂ）（ｃ）及び図３（ａ）に示すようにホルダ２の上端部に剃刀頭部３を有する剃刀本体１と、図２（ａ）及び図３（ｂ）に示すようにこの剃刀頭部３に被せられるキャップ４とからなる。この剃刀頭部３は、ホルダ２と一体成形された刃台５と、この刃台５上に載置された刃体６と、この刃体６を刃台５との間で挟着する天板７とからなる。このホルダ２と刃台５と天板７とキャップ４とは、いずれも合成樹脂により射出成形され、例えば、ＡＢＳやポリプロピレンやポリスチレン等の硬質合成樹脂により成形されている。この刃台５の前端部には複数のガード部５ａが前方へ櫛歯状に突設されて左右方向Ｙへ互いに間隔をあけて並設されている。図１（ａ）に示すようにこの各ガード部５ａで刃体６の厚み方向に沿う上下方向Ｚにおける厚みについては、使用時に膚面Ｓ等に最も当てがわれ易い左右方向Ｙの中央のガード部５ａの強度を高めるため、その中央のガード部５ａほど大きくしている。この刃体６の刃先６ａは剃刀頭部３の前側で刃台５と天板７との間からこの各ガード部５ａの上方へ露出している。この刃先６ａには図３（ａ）に示すように合成樹脂製のガード板８が取り付けられている。前記各ガード部５ａはこのガード板８よりも前方へ突出し、各ガード部５ａ間に当てがわれる膚面Ｓ等に刃先６ａが直接当たりにくくするために、ガード板８の一部が各ガード部５ａ間に位置している。この各ガード部５ａと天板７の表面９とを結ぶ剃り接線面Ｐは、この刃先６ａの付近を通る。このホルダ２については、混色成形してもよく、例えば図２（ａ）（ｂ）に示すように半透明樹脂部２ａ内に異色樹脂部２ｂをホルダ２の下端部から刃台５付近まで埋設してホルダ２の外観的特徴を強調するなど、種々の混色成形パターンから適宜選択する。
【００２２】
前記剃刀頭部３の天板７の表面９側には、刃体６の厚み方向に沿う上下方向Ｚの両側のうち刃体６に対する上方側で可溶性潤滑体１０が次のようにして射出成形されている。
図４（ｃ）（ｄ）に示すように、成形型１１内に天板７を支持してその天板７の表面９側が露出する成形型１１内のキャビティ１２において、この天板７の表面９側に形成した注入室１３が成形型１１の注入口１４に面した状態で、このキャビティ１２に前記可溶性潤滑体１０となる溶融樹脂１５を注入口１４から注入室１３に向けて供給する。この注入室１３は注入口１４に近い側の内側開口１３ａと遠い側の外側開口１３ｂとの間で貫通され、この内外両開口１３ａ，１３ｂ間の円形内周面１３ｃは内側開口１３ａから外側開口１３ｂに向うほど直径が小さくなるように傾斜している。注入口１４からキャビティ１２に供給された溶融樹脂１５の一部は、注入室１３で内周面１３ｃに当たった後に反転してキャビティ１２に戻る。成形型１１内ではキャビティ１２や注入口１４などに溶融樹脂１５が充填される。成形型１１を開いて天板７を取り出すと、図２（ａ）及び図４（ｂ）に示すように、可溶性潤滑体１０がその裏面１０ａで天板７の表面９側の載置面９ａに載せられるとともに、注入口１４に充填されて残存した溶融樹脂１５を切断した注入口残存樹脂折損部１６に隣接して、注入室１３で可溶性潤滑体１０の凸部１７が形成される。なお、注入室１３については、外側開口１３ｂを省略した有底状に形成してもよい。また、図２（ａ）、図３（ａ）及び図４（ａ）に示すように、天板７の載置面９ａには前後方向Ｘへ延びる複数の凸部１８が環状溝部１８ａの内側で互いに間隔をあけて左右方向Ｙへ並設され、可溶性潤滑体１０の裏面１０ａにはこの各凸部１８が嵌合する凹部１９が形成されている。ちなみに、この可溶性潤滑体１０には、アミノ酸、ビタミンＥ、植物エキス、アロエ、電気石（トルマリン）、シルクパウダー、毛成長抑制剤、銀イオン、銅イオン、シリコンオイル、化粧料、薬剤などの添加剤を添加してもよい。その添加剤の重量割合は０．０１〜５％ぐらいである。
【００２３】
前記可溶性潤滑体１０の露出表面２０は、刃体６の刃先６ａの延設方向に沿う左右方向Ｙの両端部２１と、この左右方向Ｙ及び前記上下方向Ｚに直交する刃体６の幅方向に沿う前後方向Ｘの両側でこの左右両端部２１間を結ぶ前後両端縁２２，２３とで囲まれ、この前後両端縁２２，２３間の各帯面２４，２５，２６，２７からなる。この各帯面２４，２５，２６，２７は、この左右両端部２１間で左右方向Ｙへ互いに連続して並び、本実施形態では前記各凹部１９で区画された部分である。この前端縁２２は、左右両端部２１を結ぶ想定線Ｌに対する距離Ｗ２２が左右方向Ｙの中央にある中央帯面２４から左右両端部２１に向うほど小さくなるように、前後方向Ｘの両側のうちこの想定線Ｌよりも前方側へ前記環状溝部１８ａに沿って曲線状に膨らむ。この後端縁２３は、この想定線Ｌに対する距離Ｗ２３がこの中央帯面２４から左右両端部２１に向うほど小さくなるように、前後方向Ｘの両側のうちこの想定線Ｌよりも後方側へ前記環状溝部１８ａに沿って曲線状に膨らむ。この前端縁２２と後端縁２３との間の各帯面２４，２５，２６，２７における前後方向幅寸法Ｗ（＝Ｗ２２＋Ｗ２３）は、この中央帯面２４から左右両端部２１に向うほど小さくなる。ちなみに、この中央帯面２４の前後方向幅寸法Ｗに対し左右両端部２１間の間隔Ｍは１〜５倍の範囲にある。さらに、この露出表面２０は、上下方向Ｚの両側のうち上方側へ膨らむ曲面であって互いに隣接する両帯面２４，２５，２６，２７がその曲面で滑らかに連続し、左右両端部２１及び前後両端縁２２，２３において天板７の表面９に対し段差のない滑らかな連続面２０ａでつながれている。
【００２４】
前記各帯面２４，２５，２６，２７は、前後方向Ｘの両側のうち前側から後側へ向うほど高さ基準面Ｑに対する上下方向高さＨが大きくなるように、高さ基準面Ｑに対し傾斜している。この高さ基準面Ｑとは、刃体６の厚み方向（上下方向Ｚ）に対し直交する任意想定面であって、便宜的に刃体６の刃先６ａを通る平面とする。
【００２５】
前記中央帯面２４は、前後両端縁２２，２３間の前後方向幅寸法Ｗが最大になる最大幅帯面であるとともに、前記高さ基準面Ｑに対する上下方向高さＨが最大になる頂上部２８を前記後端縁２３の近隣に有する最大高さ帯面でもある。この最大幅帯面及び最大高さ帯面としての中央帯面２４から左右両端部２１に向うほど各帯面２４，２５，２６，２７の上下方向高さＨは小さくなる。前記注入口残存樹脂折損部１６はこの中央帯面２４内で露出表面２０の図心位置にある。前記可溶性潤滑体１０の露出表面２０において後端縁２３は、この頂上部２８から後方に向うほど僅かに下る。
【００２６】
図２（ａ）及び図３（ｂ）に示すように、前記キャップ４を剃刀頭部３に被せた状態では、キャップ４の上壁部２９の内縁２９ａが前記可溶性潤滑体１０の前端縁２２に沿って延び、キャップ４の下壁部３０の係止突起３１が刃台５の係止孔３２に係入される。また、キャップ４の下壁部３０の内縁３０ａは、図１（ａ）（ｂ）に示す天板７のかしめ突起７ａを回避するように形成されている。
【００２７】
図１（ａ）（ｃ）及び図３（ａ）に示すように、Ｔ型剃刀の使用時、可溶性潤滑体１０の露出表面２０を膚面Ｓ等に当てがって中央帯面２４を膚面Ｓ等に接触させると、上下方向高さＨがこの中央帯面２４よりも小さい帯面２５，２６，２７の一部または全部では中央帯面２４に対する左右方向Ｙの両側で膚面Ｓ等との間に隙間Ｇが生じる。最大の隙間Ｇは、中央帯面２４の頂上部２８における上下方向高さＨ２８（図示せず）と左右両端部２１における上下方向高さＨ２１（図示せず）との差ｈ（図示せず）で生じ、その差ｈについては０．１ｍｍ≦ｈ≦５ｍｍの範囲に設定されている。Ｔ型剃刀の使用時、その隙間Ｇに水分が入って可溶性潤滑体１０が溶け易くなるとともに、溶けた可溶性潤滑体１０がその隙間Ｇに溜まり易くなり、溶けて溜まった可溶性潤滑体１０がこの隙間Ｇから広がり易くなる。使用に伴い、この可溶性潤滑体１０が次第に減少すると、天板７の凸部１８が露出して使用者がその減少を知ることができる。その場合、使用回数に対する可溶性潤滑体１０の減少割合を予めデータとして把握し、そのデータを参照して、天板７の凸部１８を覆う可溶性潤滑体１０の厚みを決めてもよい。
【００２８】
図示しないが、前記可溶性潤滑体１０の露出表面２０は上下方向Ｚの両側のうち下方側へ凹む曲面でもよく、その場合には左右両端部２１を含む帯面２７が最大高さ帯面及び最小幅帯面になるとともに、中央帯面２４が最大幅帯面及び最小高さ帯面となり、この左右両端部２１間で前記隙間Ｇが生じる。また、この可溶性潤滑体１０の露出表面２０において、左右両端部２１と前後両端縁２２，２３とで形取られる外形状は、楕円形状などの各種形状に変更してもよく、例えば、左右両端部２１を含む帯面２７が最小高さ帯面及び最大幅帯面になるとともに、中央帯面２４が最小幅帯面及び最大高さ帯面となる外形状の曲面にする。
【図面の簡単な説明】
【００２９】
【図１】（ａ）は本実施形態にかかるＴ型剃刀においてキャップを取り外した剃刀本体を示す正面図であり、（ｂ）は同じく側面図であり、（ｃ）は同じく背面図である。
【図２】（ａ）は上記剃刀本体を側面側から見た断面図であり、（ｂ）は（ａ）のＡ−Ａ線断面図である。
【図３】（ａ）は上記剃刀本体を示す平面図であり、（ｂ）は上記Ｔ型剃刀においてキャップを取り付けた状態を示す平面図である。
【図４】（ａ）は図３（ａ）のＢ−Ｂ線部分拡大断面図であり、（ｂ）は図３（ａ）のＣ−Ｃ線部分拡大断面図であり、（ｃ）（ｄ）は上記剃刀本体において可溶性潤滑体の成形工程を示す金型の部分断面図である。
【符号の説明】
【００３０】
３…剃刀頭部、６…刃体、６ａ…刃先、９…剃刀頭部の表面、９ａ…載置面、１０…可溶性潤滑体、１０ａ…可溶性潤滑体の裏面、１１…成形型、１２…キャビティ、１３…注入室（凹部）、１４…注入口、１６…注入口残存樹脂折損部、１７…可溶性潤滑体の凸部、１８…剃刀頭部の凸部、１９…可溶性潤滑体の凹部、２０…可溶性潤滑体の露出表面、２１…露出表面の両端部、２２…露出表面の前端縁、２３…露出表面の後端縁、２４…中央帯面（最大高さ帯面、最大幅帯面）、２５，２６，２７…帯面、２８…頂上部、Ｇ…隙間、Ｑ…高さ基準面、Ｈ…上下方向高さ、Ｌ…想定線、Ｗ…前後方向幅寸法、Ｗ２２，Ｗ２３…距離、Ｘ…前後方向（刃体幅方向）、Ｙ…左右方向（刃先延設方向）、Ｚ…上下方向（刃体厚み方向）。
【図１】
2005103036.tif 000003
【図２】
2005103036.tif 000004
【図３】
2005103036.tif 000005
【図４】
2005103036.tif 000006